(57)【要約】【課題】ブックマークした情報が装置内に存在しない場合でもブックマークした情報を表示させることができる情報受信装置を提供する。【解決手段】ラジオ放送受信部１０２はＩＤ付き情報を受信する。ブックマークＩＤ保存部１１０は、ＩＤ付き情報保存部１０４に保存されているＩＤ付き情報の内の選択したＩＤ付き情報をブックマークする命令を受けたとき、選択したＩＤ付き情報のＩＤをブックマークＩＤとして保存する。グローバルＩＤ取得部１１１は、ブックマークＩＤに対応するグローバルＩＤを外部より取得する。グローバルＩＤ保存部はグローバルＩＤを保存する。グローバルＩＤ取得部１１１は、グローバルＩＤを取得した場合、ブックマークＩＤ保存部１１０に保存されている、取得したグローバルＩＤに対応するブックマークＩＤを削除する。【選択図】図１
2012235330.tif 000002
【特許請求の範囲】
【請求項１】
情報の所定のまとまりごとに特定のＩＤが付されたＩＤ付き情報を受信する受信部と、
前記受信部で受信したＩＤ付き情報を保存するＩＤ付き情報保存部と、
前記ＩＤ付き情報保存部に保存されているＩＤ付き情報の内の選択したＩＤ付き情報をブックマークする命令を受けたとき、選択したＩＤ付き情報のＩＤをブックマークＩＤとして保存するブックマークＩＤ保存部と、
前記ブックマークＩＤ保存部に保存したブックマークＩＤに対応するグローバルＩＤを外部より取得するグローバルＩＤ取得部と、
前記グローバルＩＤ取得部が取得したグローバルＩＤを保存するグローバルＩＤ保存部と、
を備え、
前記グローバルＩＤ取得部は、グローバルＩＤを取得した場合には、前記ブックマークＩＤ保存部に保存されている、取得したグローバルＩＤに対応するブックマークＩＤを削除する
ことを特徴とする情報受信装置。
【請求項２】
ブックマークの出力命令を受けると、ブックマークの対象となっているＩＤが前記グローバルＩＤを保持するブックマークであるか否かを判定し、前記グローバルＩＤを保持するブックマークであった場合、外部のデータサーバにグローバルＩＤに関する情報を取得する要求を発行して、その外部のデータサーバより情報を取得するブックマーク情報取得部を備えることを特徴とする請求項１記載の情報受信装置。
【請求項３】
前記グローバルＩＤ取得部は、ブックマークＩＤの通知を受けた後、所定時間経過後にグローバルＩＤを取得する
ことを特徴とする請求項１または２に記載の情報受信装置。
【請求項４】
前記所定時間は、ＩＤ付き情報保存部に保存されているＩＤ付き情報の更新時間よりも短い時間である
ことを特徴とする請求項３記載の情報受信装置。
【発明の詳細な説明】
【技術分野】
【０００１】
本発明は、情報の所定のまとまりごとに特定のＩＤ（識別符号）が付された情報を受信する情報受信装置に関する。
【背景技術】
【０００２】
音声情報に対して、情報の所定のまとまりごとに特定のＩＤが付された情報（以下、ＩＤ付き情報）を重畳して放送するラジオ放送がある。この種の放送としては、特許文献１に記載されているようなJournaline（登録商標）と称されているものがある。カーナビゲーション装置に、ＩＤ付き情報を受信するラジオ放送受信機（情報受信装置）を搭載することもある。ＩＤ付き情報は、一例として、ニュース等のテキスト情報である。
【先行技術文献】
【特許文献】
【０００３】
【特許文献１】特表２０１０−５１８７６６号公報
【発明の概要】
【発明が解決しようとする課題】
【０００４】
上記のような情報受信装置においては、ＩＤ付き情報を一旦内部メモリに保存し、ユーザの指示に従って表示部に表示させることができる。また、情報をブックマークして保存しておくことができる場合もある。情報受信装置は、ユーザによってブックマークされた情報のＩＤを保存しておき、表示が指示された場合にＩＤに基づいて該当する情報を表示することができる。
【０００５】
ところが、情報受信装置で出力する情報は更新されるので、受信した情報が更新されるとブックマークした情報を削除する必要がある。ユーザがブックマークした情報を表示しようとした際にその情報が既に削除されていて表示できないということが発生する可能性がある。そこで、ＩＤが付された情報が更新されてブックマークされた情報のＩＤが削除された後でもその情報を表示することができる情報受信装置が求められた。
【０００６】
本発明はこのような問題点に鑑み、ブックマークした情報が装置内に存在しない場合でもブックマークした情報を表示させることができる情報受信装置を提供することを目的とする。
【課題を解決するための手段】
【０００７】
本発明は、上述した従来の技術の課題を解決するため、情報の所定のまとまりごとに特定のＩＤが付されたＩＤ付き情報を受信する受信部（１０２）と、前記受信部で受信したＩＤ付き情報を保存するＩＤ付き情報保存部（１０４）と、前記ＩＤ付き情報保存部に保存されているＩＤ付き情報の内の選択したＩＤ付き情報をブックマークする命令を受けたとき、選択したＩＤ付き情報のＩＤをブックマークＩＤとして保存するブックマークＩＤ保存部（１１０）と、前記ブックマークＩＤ保存部に保存したブックマークＩＤに対応するグローバルＩＤを外部より取得するグローバルＩＤ取得部（１１１）と、前記グローバルＩＤ取得部が取得したグローバルＩＤを保存するグローバルＩＤ保存部（１１４）とを備え、前記グローバルＩＤ取得部は、グローバルＩＤを取得した場合には、前記ブックマークＩＤ保存部に保存されている、取得したグローバルＩＤに対応するブックマークＩＤを削除することを特徴とする情報受信装置を提供する。
【発明の効果】
【０００８】
本発明の情報受信装置によれば、ブックマークした情報が装置内に存在しない場合でもブックマークした情報を表示させることが可能となる。
【図面の簡単な説明】
【０００９】
【図１】本発明の情報受信装置の第１実施形態を示すブロック図である。
【図２】ＩＤ付き情報の保存シーケンスを説明するためのフローチャートである。
【図３】グローバルＩＤの取得シーケンスを説明するためのフローチャートである。
【図４】ブックマークの候補を羅列した表示画面の例を示す図である。
【図５】ブックマークされた情報の出力シーケンスを説明するためのフローチャートである。
【図６】ＩＤ付き情報保存部１０４における情報の保存方法を説明するための図である。
【図７】ブックマークＩＤ保存部１１０におけるブックマークしたＩＤの保存方法を説明するための図である。
【図８】グローバルＩＤ保存部１１４におけるグローバルＩＤの保存方法を説明するための図である。
【図９】第２実施形態における処理のシーケンスを説明するためのフローチャートである。
【図１０】第２実施形態におけるグローバルＩＤの保存の様子を説明するための図である。
【発明を実施するための形態】
【００１０】
＜第１実施形態＞
以下、本発明の情報受信装置の第１実施形態について、添付図面を参照して説明する。図１に示す第１実施形態の情報受信装置１０１は、音声情報に対してＩＤが付された情報を重畳して放送するラジオ放送を受信するラジオ放送受信機として構成されている。図１において、ラジオ放送受信部１０２はラジオ放送を受信する。ＩＤ付き情報抽出部１０３は、受信した放送波よりＩＤ付き情報を抽出することにより通常のラジオ放送情報（音声情報）とＩＤ付き情報とを分離する。
【００１１】
ＩＤ付き情報保存部１０４は、ＩＤ付き情報抽出部１０３で抽出されたＩＤ付き情報を保存する。保存されたＩＤ付き情報は、ユーザからの指示に従って描画部１０７によって一例としてタッチパネルディスプレイである表示部１０８に表示される。音声情報は音声情報出力部１０５によって処理されてスピーカ１０６より音声として出力される。表示部１０８に表示された情報に対してブックマークする命令を受けた場合、その命令はブックマーク命令取得部１０９で処理される。ブックマーク命令取得部１０９は、表示部１０８に表示されている情報のＩＤをＩＤ付き情報保存部１０４より出力させ、ブックマークＩＤ保存部１１０に保存させる。
【００１２】
グローバルＩＤ取得部１１１は、ブックマーク命令取得部１０９がブックマーク命令を受けてから所定の時間経過後に外部ネットワーク接続部１１２を経由してデータサーバ１１３からグローバルＩＤを取得する。取得したグローバルＩＤはグローバルＩＤ保存部１１４に保存される。ブックマーク情報取得部１１５は、ブックマークを出力する命令を受けた際、ブックマークされた情報がＩＤ付き情報から抽出されたＩＤによる通常のブックマークとして存在しているか、グローバルＩＤとして存在しているかを判断する。ブックマーク情報取得部１１５は、情報がグローバルＩＤとして存在する場合は外部ネットワーク接続部１１２を経由してデータサーバ１１３より情報を取得し、描画部１０７を介して表示部１０８に情報を出力する。なお、通常のブックマークとして存在している場合は、ＩＤ付き情報保存部１０４に保存されているＩＤ付き情報を、描画部１０７を介して表示部１０８に出力する。
一般に、ＩＤ付き情報抽出部１０３が抽出した、情報受信装置１０１の内部で用いるＩＤの桁数は、グローバルＩＤの桁数よりも少ないため、ＩＤ付き情報抽出部１０３が抽出したＩＤは、グローバルＩＤよりも数が少ない。このグローバルＩＤは、外部のデータサーバ１１３より情報を取得するためのＩＤである。
【００１３】
図２を用いてＩＤ付き情報の保存シーケンスについて説明する。図２において、ステップＳ１にて、ラジオ放送受信部１０２はラジオ放送より情報を受信する。ＩＤ付き情報抽出部１０３は、ステップＳ２にてＩＤ付き情報を抽出したか否かを判定し、ＩＤ付き情報を抽出しなければ（NO）、ステップＳ３にて例えば通常のラジオ放送として音声出力させる。ＩＤ付き情報を抽出したら（YES）、ＩＤ付き情報抽出部１０３は、ステップＳ４にてそのＩＤ付き情報のタイムスタンプや更新フラグ等をチェックし、既に保存している情報と置き換えるか（更新するか）否かを判定する。
【００１４】
更新すべき情報でない場合（NO）、ステップＳ１に戻り、再度の情報取得を待つ。更新すべき情報の場合（YES）、ステップＳ５にて、ＩＤ付き情報抽出部１０３はＩＤ付き情報保存部１０４に保存されている情報を更新して終了する。
【００１５】
次に、図３を用いてグローバルＩＤの取得シーケンスについて説明する。図３において、ブックマーク命令取得部１０９は、ステップＳ１１にて、ユーザより出力中のＩＤ付き情報のブックマーク命令を受ける。すると、ブックマーク命令取得部１０９は、ステップＳ１２にてＩＤ付き情報保存部１０４より現在出力中の情報のＩＤを抽出させ、取得したＩＤをブックマークＩＤ保存部１１０に保存する。ブックマーク命令取得部１０９は、同時にグローバルＩＤ取得部１１１にブックマークしたＩＤを通知する。
【００１６】
グローバルＩＤ取得部１１１は、ステップＳ１３にて、ブックマーク通知を受けるとタイマのカウントを開始する。グローバルＩＤ取得部１１１は、ステップＳ１４にて、所定の時間が経過した否かを判定する。所定の時間が経過していなければ（NO）、ステップＳ１４に戻り所定の時間が経過した否かを判定を繰り返す。所定の時間が経過していれば（YES）、グローバルＩＤ取得部１１１は、ステップＳ１５にてデータサーバ１１３に対しグローバルＩＤの発行を要求する。
【００１７】
ここで、ステップＳ１４における所定の時間は、ＩＤ付き情報保存部１０４に保存された情報の更新時間より短い時間である。これは、情報更新が発生した場合に、同じＩＤが付された別の情報が存在する可能性があるためである。情報更新時間は、情報受信装置１０１内部で任意に決定している場合と、受信データに記述されている場合とがある。
【００１８】
グローバルＩＤ取得部１１１は、ステップＳ１６にてグローバルＩＤを取得し、ステップＳ１７にて取得したグローバルＩＤをグローバルＩＤ保存部１１４に保存する。グローバルＩＤ取得部１１１は、ステップＳ１８にて、取得したグローバルＩＤに対応するブックマークした情報のＩＤをブックマークＩＤ保存部１１０から削除する。ステップＳ１７におけるグローバルＩＤの保存とステップＳ１８におけるブックマークした情報のＩＤの削除とは同時に行ってもよいし、図３とは逆の順でもよい。
【００１９】
以上により、情報受信装置１０１内部で保存していたブックマークした情報のＩＤはグローバルＩＤに置き換えられるため、ＩＤ付き情報が更新されても継続してブックマークされた情報をユーザに提示可能となる。
【００２０】
図４は、ユーザに対して出力するブックマークの候補を羅列した表示画面１１６の例である。表示画面１１６は所定の操作によって表示部１０８に表示される。図４においては、３つのブックマーク１１７〜１１９を示しているが、保存可能な個数は任意である。ブックマーク１１７，１１８で示されているブックマーク１，２は、ＩＤ付き情報抽出部１０３で抽出したＩＤ付き情報のＩＤを保持したブックマークである。ブックマーク１１９で示されているブックマーク３は、グローバルＩＤを保持したブックマークである。ユーザは、表示画面１１６でブックマークの対象となっているＩＤがグローバルＩＤであるか否かを判別することができる。
【００２１】
次に、図５を用いてブックマークされた情報の出力シーケンスについて説明する。図５において、ステップＳ２１にて、表示部１０８が表示画面１１６でブックマークの出力命令を受けると、ブックマーク情報取得部１１５は、ステップＳ２２にてブックマークの対象となっているＩＤを判断する。ブックマーク情報取得部１１５は、ステップＳ２３にて選択したブックマークがグローバルＩＤを保持するブックマークであるか否かを判定する。
【００２２】
グローバルＩＤを保持するブックマークが選択された場合、図４の例では、ブックマーク１１９が選択された場合（ステップＳ２３でYES）、ブックマーク情報取得部１１５は、ステップＳ２４にて、外部ネットワーク接続部１１２を介してデータサーバ１１３にグローバルＩＤに関する情報を取得する要求を発行する。ブックマーク情報取得部１１５は、ステップＳ２５にてデータサーバ１１３より情報を取得すると、ステップＳ２６にて取得した情報を表示部１０８に表示させるよう描画部１０７に出力する。
【００２３】
図６を用いてＩＤ付き情報保存部１０４における情報の保存方法について説明する。図６に示すように、受信した情報はＩＤと共にＩＤ付き情報保存部１０４に保存され、ユーザの指示に従って表示部１０８へと出力される。情報が更新された場合にはＩＤ付き情報保存部１０４に保存されていた情報は一旦削除され、新規の情報が保存される。
【００２４】
図７を用いてブックマークＩＤ保存部１１０におけるブックマークしたＩＤの保存方法について説明する。図７に示すように、ブックマークされた情報はブックマークＩＤ保存部１１０にＩＤのみ保存される。ユーザにより表示部１０８への出力が指示された場合、ブックマーク情報取得部１１５は、指定されたＩＤに基づいてＩＤ付き情報保存部１０４より対象の情報を取得し、表示部１０８に表示させる。
【００２５】
図８を用いてグローバルＩＤ保存部１１４におけるグローバルＩＤの保存方法について説明する。図８に示すように、グローバルＩＤは、ブックマークＩＤと同様、グローバルＩＤ保存部１１４にＩＤのみ保存される。グローバルＩＤ取得部１１１はグローバルＩＤを取得すると、対象のブックマークＩＤを削除するため、両者間に重複は存在せず、ブックマーク候補を羅列した表示画面１１６を容易に構成することができる。
【００２６】
＜第２実施形態＞
第２実施形態は、図１におけるデータサーバ１１３の代わりに任意のデータサーバを用いた場合の構成である。第２実施形態においては、任意のデータサーバはグローバルＩＤを保持していないため情報受信装置１０１から情報を送る必要がある。図９を用いて、第２実施形態における処理のシーケンスについて説明する。図９の処理は、図３で説明したグローバルＩＤ取得シーケンスと基本的に同様のシーケンスであるが、グローバルＩＤ取得時のグローバルＩＤ取得要求（ステップＳ１５）に変えて、情報保存要求（ステップＳ３５）を発行する点が異なる。
【００２７】
図９において、ステップＳ３１〜Ｓ３４は図３のステップＳ１１〜Ｓ１４と同様であり、説明を省略する。グローバルＩＤ取得部１１１は、ステップＳ３５にて情報保存要求を発行する。このとき、グローバルＩＤ取得部１１１は、ブックマークされているＩＤだけではなく対象の情報も任意のデータサーバへ送信する。任意のデータサーバは、受信した情報を保存し、任意のＩＤを割り当て、情報受信装置１０１へ送信する。なお、一般に、ＩＤ付き情報抽出部１０３が抽出した、情報受信装置１０１の内部で用いるＩＤの桁数は、この任意のＩＤの桁数よりも少ないため、ＩＤ付き情報抽出部１０３が抽出したＩＤは、グローバルＩＤよりも数が少ない。この任意のＩＤは、外部のデータサーバ１１３より情報を取得するためのＩＤである。
【００２８】
グローバルＩＤ取得部１１１がステップＳ３６にて任意のＩＤを取得すると、ステップＳ３７にて取得したＩＤをグローバルＩＤ保存部１１４に保存する。そして、グローバルＩＤ取得部１１１は、ステップＳ３８にて対応するブックマークＩＤを削除する。図１０は、第２実施形態におけるグローバルＩＤの保存の様子を示している。図１０に示すように、グローバルＩＤと任意ＩＤとは異なる接頭辞またはフラグ等が割り振られているので、両者を識別することができる。
【００２９】
以上の説明より明らかなように、本実施形態によれば、ブックマークした情報が情報受信装置内に存在しなくなっても、外部のサーバを利用することによって継続して情報を出力することが可能となる。
【００３０】
本発明は以上説明した本実施形態に限定されることはなく、本発明の要旨を逸脱しない範囲において種々変更可能である。本実施形態においては、ＩＤ付き情報が重畳されて放送されるラジオ放送を受信するラジオ放送受信部を備えた構成を例としたが、ＩＤ付き情報が単独で放送される放送を受信する受信部を備えた構成でもよく、音声情報以外の例えば映像信号にＩＤ付き情報が重畳されて放送される放送を受信する受信部を備えた構成でもよい。
【符号の説明】
【００３１】
１０１  情報受信装置
１０２  ラジオ放送受信部（受信部）
１０３  ＩＤ付き情報抽出部
１０４  ＩＤ付き情報保存部
１０９  ブックマーク命令取得部
１１０  ブックマークＩＤ保存部
１１１  グローバルＩＤ取得部
１１２  外部ネットワーク接続部
１１３  データサーバ
１１４  グローバルＩＤ保存部
１１５  ブックマーク情報取得部
【図１】
2012235330.tif 000003
【図２】
2012235330.tif 000004
【図３】
2012235330.tif 000005
【図４】
2012235330.tif 000006
【図５】
2012235330.tif 000007
【図６】
2012235330.tif 000008
【図７】
2012235330.tif 000009
【図８】
2012235330.tif 000010
【図９】
2012235330.tif 000011
【図１０】
2012235330.tif 000012